(57)【要約】      （修正有）【課題】紙製の台紙上にカードが貼付されたカード貼付帳票に関し、台紙上に貼付されたカードの剥がし時に台紙破れを防止することを目的とする。【解決手段】紙製の台紙に少なくとも外表が樹脂であるカード１４を貼付する両面粘着テープ１３が、基材の一方面に強接着層及び他方面に弱接着層を備え、平面視上、長軸Ｌ及び当該長軸Ｌと直交する短軸Ｓを有して形成される当該カード１４の平面面積より小面積の形状であって当該長軸Ｌの両端側に向かってそれぞれ先細り形状の先細り端部１３Ａ，１３Ｂを形成させる構成とする。【選択図】図２
2017213741.tif 000002
【特許請求の範囲】
【請求項１】
紙製の台紙と、
少なくとも外表が樹脂であるカードと、
基材の一方面に前記台紙と接着させる強接着層及び他方面に前記カードを剥離可能に接着させる弱接着層を備え、平面視上、長軸及び当該長軸と直交する短軸を有して形成される当該カードの平面面積より小面積の形状であって当該長軸の少なくとも一端側に向かって先細り形状とされる両面粘着テープと、
を有することを特徴とするカード貼付帳票。
【発明の詳細な説明】
【技術分野】
【０００１】
本発明は、紙製の台紙上にカードが貼付されたカード貼付帳票に関する。
【背景技術】
【０００２】
近年、例えば会員証、クレジットカード、キャッシュカード、健康保険証、マイナンバーカードなどのカードを対象者に配布する場合に、所定の情報を記載した台紙上にカードを貼付して一体とさせて送付することが一般化してきている。このようなカード貼付帳票より貼付されたカードを剥がす際に台紙に破れを生じさせないことが必要である。
【０００３】
従来、カード貼付帳票として、例えば特許文献１に記載されているようなものが知られている。特許文献１には、台紙基材上のカード貼付位置内で矩形状若しくは長方形状の粘着性材を介在させてカードが貼付されるもので、粘着性材はフィルムを基材として台紙基材側に強粘着剤が形成され、カード側（剥離紙側）に弱粘着剤が形成されたものが使用される。このような粘着性材を用いた場合、台紙基材からカードを剥がす際に、強粘着剤側の接着力が弱いとカード側に粘着剤が残り、また、弱粘着剤側の接着力が強いときには台紙基材が破れ、弱いときには台紙基材からカードが脱落することから、粘着剤の接着力及び接着面積が選択されることとなる。
【０００４】
また、上記のような粘着性材を矩形状若しくは長方形状とする場合に、長尺形態より型抜きさせることによって作製されるが、型抜きの性質上、角部では直線端が連結される形状にできず、あたかも面取りされたようなＲ形状（Ｒ＝１ｍｍ〜３ｍｍ）となるのが必然的である。
【先行技術文献】
【特許文献】
【０００５】
【特許文献１】特開２００５−１７８２５５号公報
【発明の概要】
【発明が解決しようとする課題】
【０００６】
ところで、台紙基材よりカードを剥がす際に、カードの短辺側から剥がす頻度が高く、上記粘着性材が長方形状（矩形状でも同様）の場合に、上記のように接着力が調整されたものであっても当該粘着性材の短辺側における剥離開始部分では台紙基材との定着力が強く、高確率で当該台紙基材に破れを生じさせ易くなるという問題がある。
【０００７】
そこで、本発明は上記課題に鑑みなされたもので、台紙上に貼付されたカードの剥がし時に台紙破れを防止するカード貼付帳票を提供することを目的とする。
【課題を解決するための手段】
【０００８】
上記課題を解決するために、請求項１の発明では、紙製の台紙と、少なくとも外表が樹脂であるカードと、基材の一方面に前記台紙と接着させる強接着層及び他方面に前記カードを剥離可能に接着させる弱接着層を備え、平面視上、長軸及び当該長軸と直交する短軸を有して形成される当該カードの平面面積より小面積の形状であって当該長軸の少なくとも一端側に向かって先細り形状とされる両面粘着テープと、を有する構成とする。
【発明の効果】
【０００９】
本発明によれば、紙製の台紙に少なくとも外表が樹脂であるカードを貼付する両面粘着テープが、基材の一方面に強接着層及び他方面に弱接着層を備え、平面視上、長軸及び当該長軸と直交する短軸を有して形成される当該カードの平面面積より小面積の形状であって当該長軸の少なくとも一端側に向かって先細り形状とさせる構成とすることにより、台紙上のカードを剥がす際に両面粘着テープの先細り形状が剥離開始部分となることで接着面積が小となって剥がれ易くなり、台紙破れを防止することができるものである。
【図面の簡単な説明】
【００１０】
【図１】本発明に係るカード貼付帳票の構成説明図である。
【図２】図１の両面粘着テープ及びカードの説明図である。
【図３】図２の両面粘着テープの平面形状によるカード剥がし時の台紙破れの比較説明図である。
【図４】図１の両面粘着テープの他の平面形状の説明図である。
【発明を実施するための形態】
【００１１】
以下、本発明の実施形態を図により説明する。
図１に本発明に係るカード貼付帳票の構成説明図を示すと共に、図２に図１の両面粘着テープ及びカードの説明図を示す。図１（Ａ）、（Ｂ）に示すように、カード貼付帳票１１は、台紙１２の所定位置に両面粘着テープ１３を介在させてカード１４が貼付されたものである。
【００１２】
上記台紙１２は、紙製のもので、所定の情報が印刷等により形成され、所定位置をカード貼付領域１２Ａとされる。なお、貼付されるカード１４の短辺側に、例えば「こちら側よりカードを剥がしてください」などの表記を形成してもよい。
【００１３】
上記カード１４は、少なくとも外表が樹脂で形成される。例えば、ＩＣカードやクレジットカードのような全体が樹脂で形成させたものでもよく、また、紙製のカードシートの外表に樹脂を形成させたものでもよい。当該カード１４は、図２（Ｂ）にその寸法（８５ｍｍ×５４ｍｍ）を示しているように汎用のサイズである。
【００１４】
上記両面粘着テープ１３は、図１（Ｃ）のＡ−Ａ断面図に示すように、フィルム等の基材２１の一方面であって、台紙１２と接着させるための強粘着層２２が形成され、他方面であって、カード１４を剥離可能に接着させるための弱粘着層２３が形成されたものである。当該強粘着層２２及び弱粘着層２３は、通常用いられている粘着剤で形成され、接着強度に応じて塗布量や主剤の多寡で調整される。すなわち、強粘着層２２はカード１４の剥離の際にカード側に粘着剤が残らない接着力となるように、また、弱粘着層２３は、カード１４が脱落せずに剥離の際にカード側に粘着剤が残らない接着力となるように接着面積との関係で適宜選択される。
【００１５】
当該両面粘着テープ１３は、図２（Ａ）に示すように、平面視上、長軸Ｌ及び当該長軸Ｌと直交する短軸Ｓを有して形成されるものであって当該長軸Ｌの中央からそれぞれ両端側に向かって先細り形状の先細り端部１３Ａ，１３Ｂが形成される。詳細には、短軸Ｓの距離で長さ２Ｌ１の長辺ａ１，ａ２が平行し、長軸Ｌの距離で長さＳ１の短辺ｂ１、ｂ２が平行し、長辺ａ１，ａ２の中心からの長さＬ１の端点より各短辺ｂ１、ｂ２の両端にそれぞれ直線状の斜辺ａｂ１〜ａｂ４で連結された形状である。
【００１６】
そして、各長辺ａ１、ａ２における長軸Ｌの中央からの距離Ｌ１の位置より長軸Ｌの一端側に向かってＬ２（（Ｌ／２）−Ｌ１）の長さで短辺ｂ１及び斜辺ａｂ１，ａｂ２による先細り端部１３Ａが形成されると共に、各長辺ａ１、ａ２における長軸Ｌの中央からの距離Ｌ１の位置より長軸Ｌの他端側に向かってＬ２（（Ｌ／２）−Ｌ１）の長さで短辺ｂ２及び斜辺ａｂ３，ａｂ４による先細り端部１３Ｂが形成されることになる。この形状は、長辺ａ（長軸Ｌ）及び短辺ｂ（短軸Ｓ）の長方形状の４隅（４辺）を、各長辺ａの長さ２Ｌ１及び各短辺ｂの長さＳ１となるようにカット（Ｃ）した形状と同様となる。
【００１７】
具体的な寸法は、図２（Ｂ）に示すカード１４の寸法に応じて、
長軸Ｌ（２Ｌ１＋２Ｌ２）＝３８ｍｍ
短軸Ｓ＝１７ｍｍ
長辺ａ１（２Ｌ１）＝ａ２（２Ｌ１）＝２９ｍｍ
短辺ｂ１（Ｓ１）＝ｂ２（Ｓ１）＝８ｍｍ
となる。このような両面粘着テープ１３の平面面積はカード１４の平面面積より小面積となる。
【００１８】
なお、上記先細り端部１３Ａ，１３Ｂの先細り形状の開始端となる長軸Ｌの中央からの長さＬ１は１４．５＋２ｍｍより短いことが好ましく、また、短辺の長さＳ１は８＋２ｍｍより短いことが好ましい。また、両面粘着テープ１３の平面面積は、カード１４を安定して貼付する最低限の大きさで足り、カード１４の平面面積に応じて適宜設定されるものである。
【００１９】
上記両面粘着テープ１３は、図１（Ｂ）に示すように、台紙１２のカード貼付領域１２Ａの中央部分に、長軸Ｌを当該カード１４の長軸と同方向にしてその強粘着層２２により貼着され、弱粘着層２３上にカード１４が当該カード領域１２Ａに合わせて貼着されることで図１（Ａ）に示すカード貼付帳票１１となる。この場合、カード１４の台紙１２側の面（裏面）では、両面粘着テープ１３に貼着した領域以外の領域は非接着領域となる。なお、両面粘着テープ１３を台紙１２のカード貼付領域１２Ａに貼付するにあたり、長軸Ｌをカード１４の短軸と同方向としてもよいが、カード１４の貼付安定性から長軸同士を同方向とすることが好ましい。
【００２０】
上記形状の両面粘着テープ１３とすることにより、カード１４を台紙１２より当該カード１４の短辺側から剥離する際に、両面粘着テープ１３の剥離開始部分となる先細り端部１３Ａ（１３Ｂ）の形状による接着面積が小となって剥がれ易くなり、剥離時の台紙１２の破れを防止することができるものである。
【００２１】
ここで、図３に、図２の両面粘着テープの平面形状によるカード剥がし時の台紙破れの比較説明図を示す。図２（Ａ）に示す両面粘着テープ１３による台紙１２の破れ防止の効果は、あたかも短辺Ｓ１の長さが長辺ａ１（ａ２）の長さに対してある比率で短いことによるものであると考察することができる。図３は、Ｎｏ．１の図２（Ａ）に示す形状の両面粘着テープ１３と、Ｎｏ．２の短辺（１４ｍｍ）を長辺（３８ｍｍ）よりも半分以下とした長方形状（四隅は型抜きによる必然性でＲ＝１〜３ｍｍとされる）の両面粘着テープとについて剥離時の台紙１２の破れを比較したものである。
【００２２】
図３に示すように、Ｎｏ．１の図２（Ａ）に示す両面粘着テープ１３がテスト枚数３５０枚中、台紙１２の破れは０枚であったのに対し、Ｎｏ．２の両面粘着テープではテスト枚数３５０枚中、台紙１２の破れは９４枚であった。この結果からして、長辺の長さに対する短辺の長さが台紙破れと関連性がないか、若しくは極めて少ないものと判断することができる。
【００２３】
上記結果は、Ｎｏ．２の両面粘着テープでは剥離開始部分から剥離していく力が中央側向かう方向に集中するのに対し、Ｎｏ．１の図２（Ａ）に示す両面粘着テープ１３では先細り端部１３Ａ（１３Ｂ）の形状により、剥離開始部分では接着面積が小さく、剥離していく力の方向が、中央側と、斜辺ａｂ１，ａｂ２（ａｂ３，ａｂ４）に沿った両外側とに分散されて向かうことになるからと推察される。
【００２４】
次に、図４に、図１の両面粘着テープの他の平面形状の説明図を示す。図４（Ａ）〜（Ｄ）に示す長軸Ｌ及び短軸Ｓの長さは、図２（Ａ）に示す長軸Ｌ及び短軸Ｓと同じ長さのものとして示しており、また、距離Ｌ１，Ｌ２は先細り端部１３Ａ，１３Ｂの始点となる長辺の端点の位置に応じて可変の長さになるものとして示している。また、図４（Ａ）〜（Ｄ）に示す両面粘着テープ１３は、図１（Ａ）等と同様に、長軸Ｌをカード１４の長軸と同方向として台紙１２上に貼着されるものとしている。
【００２５】
図４（Ａ）に示す両面粘着テープ１３は、図２（Ａ）に示す短辺Ｓ１を「０」して、長軸Ｌの両端に長辺ａ１，ａ２の各端点（長軸Ｌの中央からの距離Ｌ１の位置）より直線で結んで斜辺ａｂ１−１，ａｂ２−１，ａｂ３−１，ａｂ４−１としたもので、長辺ａ１，ａ２における長軸Ｌの中央からの距離Ｌ１の位置より長軸Ｌの一端側に向かう斜辺ａｂ１−１，ａｂ２−１によってＬ２（（Ｌ／２）−Ｌ１）の長さで先細り端部１３Ａが形成されると共に、長辺ａ１，ａ２における長軸Ｌの中央からの距離Ｌ１の位置より長軸Ｌの他端側に向かう斜辺ａｂ３−１，ａｂ４−１によってＬ２（（Ｌ／２）−Ｌ１）の長さで先細り端部１３Ｂが形成されるものである。
【００２６】
図４（Ｂ）に示す両面粘着テープ１３は、図２（Ａ）に示す短辺Ｓ１を「０」して、長軸Ｌの両端に長辺ａ１，ａ２の各端点（長軸Ｌの中央からの距離Ｌ１の位置）より円弧状に結んで円弧ａｂ１−２，ａｂ２−２，ａｂ３−２，ａｂ４−２としたもので、長辺ａ１，ａ２における長軸Ｌの中央からの距離Ｌ１の位置より長軸Ｌの一端側に向かって円弧ａｂ１−２，ａｂ２−２によってＬ２（（Ｌ／２）−Ｌ１）の長さで先細り端部１３Ａが形成されると共に、長辺ａ１，ａ２における長軸Ｌの中央からの距離Ｌ１の位置より長軸Ｌの他端側に向かう円弧ａｂ３−２，ａｂ４−２によってＬ２（（Ｌ／２）−Ｌ１）の長さで先細り端部１３Ｂが形成されるものである。
【００２７】
図４（Ｃ）に示す両面粘着テープ１３は、図２（Ａ）に示す短辺Ｓ１を「０」、長軸Ｌの中央からの距離Ｌ１の長さを「０」（Ｌ＝２Ｌ２）とした平面楕円形状のもので、短軸Ｓの両端点と長軸Ｌの両端点とをそれぞれ楕円弧状に結んで楕円弧ａｂ１−３，ａｂ２−３，ａｂ３−３，ａｂ４−３としたもので、短軸Ｓの両端点から長軸Ｌの一端側に向かう楕円弧ａｂ１−３，ａｂ２−３によってＬ２（Ｌ／２）の長さで先細り端部１３Ａが形成されると共に、短軸Ｓの両端点から長軸Ｌの他端側に向かう楕円弧ａｂ３−３，ａｂ４−３によってＬ２（Ｌ／２）の長さで先細り端部１３Ｂが形成されるものである。
【００２８】
両面粘着テープ１３を上記図４（Ａ）〜（Ｃ）に示す形状とすることによっても、図２（Ａ）に示す形状の両面粘着テープ１３と同様に、カード１４を台紙１２より当該カード１４の短辺側から剥離する際に、両面粘着テープ１３の剥離開始部分となる先細り端部１３Ａ（１３Ｂ）の形状による接着面積が小となって剥がれ易くなり、剥離時の台紙１２の破れを防止することができるものである。
【００２９】
図４（Ｄ）に示す両面粘着テープ１３は、図２（Ａ）に示す両面粘着テープ１３の一方側にのみ先細り端部１３Ａを形成し、他方側に先細り端部を形成させないものとしたものであり、先細り端部１３Ａの構成は図２（Ａ）と同様である。この場合、カード１４の剥離開始側を先細り端部１３Ａの側とすることを前提するもので、例えば、台紙１２上に剥離開始側を明示する情報を形成させることで確実に機能させることができるものである。
【００３０】
なお、図４（Ｄ）における両面粘着テープ１３に形成される先細り端部１３Ａの形状は、図４（Ａ）〜（Ｃ）に示す先細り端部１３Ａの形状とさせることとしても同様である。
【００３１】
このように、カード１４の剥離開始側を限定すれば、図４（Ｄ）に示す両面粘着テープ１３の形状とすることによっても、上記同様の効果を奏することができるものである。
【産業上の利用可能性】
【００３２】
本発明のカード貼付帳票は、紙製の台紙上に両面粘着テープを用いてカードを貼付させた製品の製造、販売、使用等の産業に利用可能である。
【符号の説明】
【００３３】
１１            カード貼付帳票
１２            台紙
１２Ａ          カード貼付領域
１３            両面粘着テープ
１３Ａ，１３Ｂ  先細り端部
１４            カード
２１            基材
２２            強粘着層
２３            弱粘着層
Ｌ              長軸
Ｓ              短軸
【図１】
2017213741.tif 000003
【図２】
2017213741.tif 000004
【図３】
2017213741.tif 000005
【図４】
2017213741.tif 000006